【手続補正書】
【提出日】平成28年8月26日(2016.8.26)
【手続補正１】
【補正対象書類名】特許請求の範囲
【補正対象項目名】全文
【補正方法】変更
【補正の内容】
【特許請求の範囲】
【請求項１】
知的財産の取引を運営する知的財産のアグリゲータにおいて、公開有価証券を生成するためのコンピュータにより実施される方法であって、
複数の知的財産権保有者から前記知的財産のアグリゲータへ、複数の知的財産権を譲渡する段階と、
前記複数の知的財産権の保有者の少なくとも１人にサービスを提供する段階であって、前記サービスを提供する段階が、前記複数の譲渡された知的財産権の少なくとも１つに価値を付加するようになった段階と、
前記複数の譲渡された知的財産権の、集約された知的財産の価値を計算する段階と、
前記複数の知的財産権の各々の取引における知的財産の価値を推定する段階であって、前記取引における知的財産の価値は、前記複数の知的財産権の各々の中で、前記集約された知的財産の価値を割り当てることによって推定される段階と、
前記複数の知的財産権の一部を、知的財産権の１人またはそれ以上の取得者に譲渡する段階と、
知的財産権の各取得者から支払いを受ける段階であって、前記支払いは、各取得者へ譲渡された前記知的財産権の各々の、前記取引における知的財産権に等しい、段階と、
受け取られた各支払いを計上するために、更新後の、集約された知的財産の価値を計算する段階と、
複数の持ち分を発行する段階であって、各々の持ち分は或る価格で購入可能であり、前記価格は、更新された、集約された知的財産の価値示す、段階と、
を含む、公開有価証券を生成するための方法。
【請求項２】
前記複数の知的財産権の少なくとも１つを譲渡することは、前記知的財産権の保有者から前記知的財産のアグリゲータへの前記知的財産権の売買による、請求項１に記載の知的財産の取引を運営する知的財産のアグリゲータにおいて、公開有価証券を生成するための方法。
【請求項３】
前記複数の知的財産権の少なくとも１つを譲渡することは、前記知的財産権の保有者から前記知的財産のアグリゲータへのライセンス供与による、請求項１に記載の知的財産の取引を運営する知的財産のアグリゲータにおいて、公開有価証券を生成するための方法。
【請求項４】
提供される前記サービスは、マーケットアドバイス、投資アドバイス、技術アドバイス、研究サポート、開発サポート、商業化アドバイス、製造アドバイス、および会計アドバイスからなる群から選択される、請求項１に記載の知的財産の取引を運営する知的財産のアグリゲータにおいて、公開有価証券を生成するための方法。
【請求項５】
コンピュータベースシステムによって知的財産の権利に基づく取引を運営するための方法であって、
第１の譲渡において、前記知的財産権を知的財産のアグリゲータに譲渡することによって、知的財産のアグリゲータにおいて、複数の知的財産権の保有者から複数の知的財産権を集約する段階と、
前記複数の知的財産権の保有者の少なくとも１人にサービスを提供する段階であって、前記サービスを提供する段階が、前記複数の譲渡された知的財産権の少なくとも１つに価値を付加するようになった段階と、
第１のデータベースに、前記複数の知的財産権の保有者の各々を記載する第１のセットの情報を保存する段階と、
第２のデータベースに、前記複数の知的財産権の各々を記載する第２のセットの情報を保存する段階であって、前記第２のセットの情報は、前記サービスの提供によって付加された価値を有する前記複数の知的財産権の各々についての知的財産の価値を含む、段階と、
第３のデータベースにおいて、前記複数の知的財産権の一部の複数の取得者を記載する第３のセットの情報を保存する段階であって、前記第３のセットの情報は、前記知的財産権の前記取得者への第２の譲渡について、前記知的財産のアグリゲータに対してなされる各々の支払いについての各々の取得者についての支払い情報を含む、段階と、
第４のデータベースにおいて、複数の投資家を記載する第４のセットの情報を保存する段階であって、各々の投資家は、前記知的財産のアグリゲータにおける持ち分の購入者であり、前記第４のセットの情報は、前記知的財産のアグリゲータに対してなされる投資についての各々の投資家についての投資家情報を含む、段階と、
前記第１のセットの情報、前記第２のセットの情報、前記第３のセットの情報、および前記第４のセットの情報からなる群より選択される情報を評価モジュールに入力する段階と、
前記情報を計上するために、前記評価モジュールにおいて、前記集約された知的財産権の価値を計算する段階と、
前記複数の知的財産権の各々について、取引における知的財産の価値を決定する段階であって、前記取引における知的財産の価値は、前記複数の知的財産権の各々の中での前記集約された知的財産の価値を割り当てることによって推定される、段階と、
受け取られた各々の支払いを計上するために、更新後の、集約された知的財産の価値を計算する段階と、
知的財産権の譲渡のために受け取った支払いの各々についての支払い価値を前記第３のデータベースに入力する段階と、
を含み、知的財産権に対して受け取られた前記支払いは、前記知的財産権に対する前記取引における知的財産の価値に等しい、コンピュータベースシステムによって知的財産の権利に基づく取引を運営するための方法。
【請求項６】
前記取引に対する前記複数の知的財産権の少なくとも１つの前記第１の譲渡は、前記知的財産の保有者から前記知的財産のアグリゲータへの前記知的財産権の売買による、請求項５に記載のコンピュータベースシステムによって知的財産の権利に基づく取引を運営するための方法。
【請求項７】
前記取引に対する前記複数の知的財産権の少なくとも１つの前記第１の譲渡は、前記知的財産の保有者から前記知的財産のアグリゲータへのライセンス供与による、請求項５に記載のコンピュータベースシステムによって知的財産の権利に基づく取引を運営するための方法。
【請求項８】
提供される前記サービスは、マーケットアドバイス、投資アドバイス、技術アドバイス、研究サポート、開発サポート、商業化アドバイス、製造アドバイス、および会計アドバイスからなる群から選択される、請求項５に記載のコンピュータベースシステムによって知的財産の権利に基づく取引を運営するための方法。
【請求項９】
サービスを集約して集中型取引から知的財産権の保有者に提供するコンピュータにより実施される方法であって、
複数のサービスプロバイダーをサービス取引に登録する段階と、
サービス取引へのアクセスを複数の知的財産権の保有者に提供する段階と、
前記知的財産の保有者のうちの少なくとも１人が複数のサービスプロバイダーのうちの少なくとも１つからサービスを取得する段階と、
前記知的財産の保有者のうちの少なくとも１人が、サービスに対して第１の支払いを行う段階と、サービス取引がサービスを提供する複数のサービスプロバイダーのうちの少なくとも１つに対して第２の支払いを行う段階と、を含み、
サービスプロバイダーのうちの少なくとも２つは異種のサービスを提供する、サービスを集約して集中型取引から知的財産権の保有者に提供する方法。
【請求項１０】
前記サービス取引は、知的財産取引によって運営され、前記知的財産取引は、複数の知的財産権を前記知的財産のアグリゲータに譲渡することで、知的財産のアグリゲータにおいて複数のＩＰオーナーからの複数の知的財産権を集約する、請求項９に記載のサービスを集約して集中型取引から知的財産権の保有者に提供する方法。
【請求項１１】
前記第１の支払いは、前記知的財産のアグリゲータによって補助される、請求項９に記載のサービスを集約して集中型取引から知的財産権の保有者に提供する方法。
【請求項１２】
前記複数のサービスプロバイダーの各々は、前記サービス取引に費用を支払って前記サービス取引に加入する、請求項９に記載のサービスを集約して集中型取引から知的財産権の保有者に提供する方法。
【請求項１３】
提供される前記サービスは、マーケットアドバイス、投資アドバイス、技術アドバイス、研究サポート、開発サポート、商業化アドバイス、製造アドバイス、および会計アドバイスからなる群から選択される、請求項９に記載のサービスを集約して集中型取引から知的財産権の保有者に提供する方法。
【請求項１４】
前記第２の支払いは市場価格より低い、請求項９に記載のサービスを集約して集中型取引から知的財産権の保有者に提供する方法。
【請求項１５】
知的財産の権利に基づいて取引を運営するためのコンピュータにより実施される方法であって、
知的財産のアグリゲータにおいて、第１の譲渡によって複数の知的財産権の保有者から複数の知的財産権を集約する段階であって、前記知的財産のアグリゲータが、複数の第１の取得コストと引き換えに前記複数の知的財産権を取得する、段階と、
複数の知的財産権の保有者の少なくとも１人にサービスを提供する段階であって、前記サービスを提供する段階は、前記複数の譲渡された知的財産権の少なくとも１つに価値を付与する、段階と、
第１のデータベースに、前記複数の知的財産権に関する知的財産の価値を電子的に転送する段階であって、前記知的財産の価値は、第１の取得コストおよび知的財産評価方法を用いて取得した価値からなる群から選択された価値に等しい、段階と、
第２のデータベースに、前記複数の知的財産権の一部の複数の取得者によって前記知的財産のアグリゲータに行われた複数の支払いを電子的に転送する段階と、
第３のデータベースに、前記知的財産のアグリゲータにおける、証券の購入の各々に対する複数の投資家による複数の投資価格を電子的に転送する段階と、
マイクロプロセッサにおいて、購入された前記知的財産権の各々についての、前記第１のデータにおける前記知的財産の価値に基づいて、集約された知的財産の価値を計算する段階であって、前記支払いは、前記第２の譲渡で譲渡された知的財産権の各々についての前記第２のデータベースで行われ、前記投資価格は、前記知的財産のアグリゲータに行われる支払いの各々についての、前記第３のデータベースで支払われる、段階と、
知的財産権の各々について、知的財産権の各々に割り当て可能な独占権の範囲に対応する数値、知的財産権の各々に割り当て可能な独占権の期間に対応する数値、知的財産権の各々を構成する企業秘密の範囲に対応する数値、知的財産権の各々に関連する商業的機会の相対数に対応する数値、および、前記サービスを提供する段階で付加された価値に対応する数値からなる群から選択される複数の重み付け因子を前記マイクロプロセッサで処理する段階と、
前記マイクロプロセッサで、前記複数の知的財産権についての取引される知的財産の価値を処理する段階であって、前記取引される知的財産の価値は、知的財産権の各々について、重み付け因子を用いて前記複数の知的財産権のうちの各々の集約された知的財産の価値を割り当てることで推定される、段階と、
を含む取引を運営するための方法。
【請求項１６】
前記複数の知的財産権のうちの少なくとも１つの第１の譲渡は、前記知的財産の保有者から前記知的財産のアグリゲータへの前記知的財産権の販売による、請求項１５に記載の取引を運営するための方法。
【請求項１７】
前記複数の知的財産権のうちの少なくとも１つの第１の譲渡は、前記知的財産の保有者から前記知的財産のアグリゲータへの前記知的財産権のライセンス供与による、請求項１５に記載の取引を運営するための方法。
【請求項１８】
前記知的財産権の取得者への第２の譲渡は、前記知的財産権の販売による、請求項１５に記載の取引を運営するための方法。
【請求項１９】
前記知的財産権の取得者への第２の譲渡は、前記知的財産権のライセンス供与による、請求項１５に記載の取引を運営するための方法。
【請求項２０】
前記複数の知的財産権のうちの少なくとも１つは、特許である、請求項１５に記載の取引を運営するための方法。
【請求項２１】
前記複数の知的財産権のうちの少なくとも１つは、企業秘密である、請求項１５に記載の取引を運営するための方法。